【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
所定の持続時間をもつチャープ光パルスを発生させる光パルス源、
二重クラッドファーバーを備え、前記光パルス源から前記チャープ光パルスを受光するように構成され、該チャープ光パルスのエネルギーと平均パワーを増加させることで該チャープ光パルスを増幅し、増幅されたチャープ光パルスを出力するパワーアンプ、
前記パワーアンプをポンプするための光ポンプ源、及び
前記パワーアンプから受光した前記増幅されたチャープ光パルスを圧縮し前記持続時間を短くし、高エネルギー超短パルスを出力するコンプレッサーとからなることを特徴とする高エネルギー超短光パルスを発生する高パワーチャープパルス増幅装置。
【請求項２】
前記チャープ光パルスを増幅するために該チャープ光パルスを前記二重クラッドファイバーの入力端に伝達する伝達手段、前記光ポンプの出力が該二重クラッドファイバーの中に入射するように該光ポンプを該二重クラッドファイバーにカップリングする結合手段、及び該二重クラッドファイバーの出力端から該チャープ光パルスを前記コンプレッサーへ伝達するために該コンプレッサーに該二重クラッドファイバーの出力端をカップリングする結合手段をさらに備えていることを特徴とする、請求項１記載の高パワーチャープパルス増幅装置。
【請求項３】
前記光ポンプは、ブロードエリア・レーザーダイオードおよびレーザーダイオードアレイのうち一つを備えている、ことを特徴とする、請求項２記載の高パワーチャープパルス増幅装置。
【請求項４】
前記コンプレッサーは、チャープされたブラッグ格子を含むことを特徴とする、請求項３記載の高パワーチャープパルス増幅装置。
【請求項５】
前記パワーアンプの前に配設されているプリアンプをさらに有し、
該プリアンプは、単一クラッドドープファイバーと単一横モード・レーザーダイオード・ポンプとを備えることを特徴とする、請求項３記載の高パワーチャープパルス増幅装置。
【請求項６】
前記二重クラッドファイバーは、中央コアがＹｂ／Ｅｒコドープされたファイバーであることを特徴とする、請求項５記載の高パワーチャープパルス増幅装置。
【請求項７】
前記光パルス源は、波長可変レーザーダイオードを備えることを特徴とする、請求項３記載の高パワーチャープパルス増幅装置。
【請求項８】
前記パワーアンプの前に配設されているプリアンプをさらに有し、
該プリアンプは、二重クラッドドープファイバーを備えることを特徴とする、請求項３記載の高パワーチャープパルス増幅装置。
【請求項９】
前記二重クラッドファイバーの中央コアがドープされた単一モードファイバーであることを特徴とする、請求項２記載の高パワーチャープパルス増幅装置。
【請求項１０】
前記ドープされた単一モードファイバーは、Ｅｒドープファイバーであることを特徴とする、請求項９記載の高パワーチャープパルス増幅装置。
【請求項１１】
前記結合手段は、前記光ポンプの出力を前記二重クラッドファイバーの入力端に入射させる少なくとも一つの光学素子を有することを特徴とする、請求項２記載の超短パルスを発生する高パワーチャープパルス増幅装置。
【請求項１２】
前記結合手段は、ピッグテールカップラーを有することを特徴とする、請求項２記載の超短パルスを発生する高パワーチャープパルス増幅装置。
【請求項１３】
分散補正ファイバーをさらに備えていることを特徴とする、請求項１記載の高パワーチャープパルス増幅装置。
【請求項１４】
Ｙｂドーピングが、前記二重クラッドファイバーの中央コアになされている、請求項１記載の高パワーチャープパルス増幅装置。
【請求項１５】
前記二重クラッドファイバーは、８μｍ以上のコア径を使用している、請求項１記載の高パワーチャープパルス増幅装置。
【請求項１６】
前記二重クラッドファイバーは、クラッド／コア面積比が１００未満の二重クラッドファイバーである、請求項１記載の高パワーチャープパルス増幅装置。
【請求項１７】
所定の持続時間をもつチャープ光パルスを発生させる光パルス源、
所与のクラッド／コア面積比を有する二重クラッドファーバーからなる二重クラッドパワーアンプであって、前記光パルス源から前記チャープ光パルスを受光して該チャープ光パルスのエネルギーと平均パワーを増加させることにより該チャープ光パルスを増幅して、増幅したチャープ光パルスを出力している、非線形効果を防ぐようなドーピングレベルとアンプ長で構成された二重クラッドパワーアンプ、
前記パワーアンプをポンプするための、ブロードエリア・レーザダイオードとレーザダイオードアレイのうちの少なくとも１つからなる光ポンプ源、及び
前記持続時間を短縮しそして高エネルギー超短光パルスを出力するよう、前記二重クラッドパワーアンプから受光した前記増幅されたチャープ光パルスを圧縮するコンプレッサーとからなる、高エネルギー超短光パルスを発生する高パワーチャープパルス増幅装置。
【請求項１８】
前記二重クラッドパワーアンプのドーピングレベルの減少又は前記二重クラッドパワーアンプ長の増加が、前記二重クラッドパワーアンプ内の増幅された光パルスのフルーエンス又はパワー密度を非線形閾値を越える値に増加させてしまう、請求項１７に記載の高パワーチャープパルス増幅装置。
【請求項１９】
前記光ポンプ源は調節可能なくり返し速度でパルスを生成するよう構成されており、該くり返し速度は前記二重クラッドパワーアンプ内のフルーエンス又はパワー密度が非線形効果を生じさせる閾値より低くなるよう調節されている、請求項１７に記載の高パワーチャープパルス増幅装置。
【請求項２０】
前記くり返し速度は１〜１００ＭＨｚの範囲である、請求項１９に記載の高パワーチャープパルス増幅装置。
【請求項２１】
前記二重クラッドファイバーは、シングルモードファイバのモード径よりも約４０％大きいモード径が与えられるように構成されたコアと第１のクラッドを含むものである、請求項１７に記載の高パワーチャープパルス増幅装置。
【請求項２２】
前記所与のクラッド／コア面積比は非線形効果を防ぐように選択されている、請求項１７に記載の高パワーチャープパルス増幅装置。
【請求項２３】
前記所与のクラッド／コア面積比は約１００である、請求項１７に記載の高パワーチャープパルス増幅装置。
【請求項２４】
前記チャープ光パルスパワーのエネルギーと平均パワーは、レーザダイオードＭＯＰＡポンプされたシングルモードアンプで得られる値と約等しいものである、請求項１７に記載の高パワーチャープパルス増幅装置。
【請求項２５】
１ｎＪより大きい短パルスを発生する高パワーチャープパルス増幅システムにおいて、
チャープパルスを発生するチャープパルス源、
パルスを増幅するパワーアンプ段、及び
該パワーアンプ段から受光したチャープパルスを圧縮するコンプレッサーとからなり、該パワーアンプ段は二重クラッドファイバーとポンプ光源とからなり、該パワーアンプ段の長さが減少されそして該パワーアンプ段のドーピングレベルは非線形効果を最小にするよう増加されている高パワーチャープパルス増幅システム。
【請求項２６】
１ｎＪより大きい超短パルスを発生する高パワーチャープパルス増幅システムにおいて、
所定の持続時間を有するチャープ光パルスを発生する手段、
二重クラッドファイバーと光ポンプとからなるパワーアンプ段であって、光源からの該チャープ光パルスを受光して該チャープ光パルスのエネルギーと平均パワーを増加することにより該チャープ光パルスを増幅し、それにより増幅されたチャープ光パルスを出力しているパワーアンプ段、及び
該パワーアンプ段から受光した該増幅されたチャープ光パルスを圧縮して、その持続時間を短縮し超短パルスを出力しているコンプレッサーとからなり、
該パワーアンプ段の長さが減少されそして該パワーアンプ段のドーピングレベルは非線形効果を最小にするよう増加されている高パワーチャープパルス増幅システム。